(57)【特許請求の範囲】
【請求項１】
空調室の天井に設けられる空気調和装置の天井設置型室内ユニットであって、
下面の周縁部に沿うように吹き出し口（５６）が形成されたケーシング（５１）と、
前記吹き出し口（５６）に回動可能に設けられており、それぞれ独立して上下方向の風向角度を変更することが可能な少なくとも４つの水平羽根（７１ａ〜７１ｄ）と、
前記水平羽根のうち互いに隣接する２つの前記水平羽根である第１水平羽根が同期して同じ姿勢を採りつつスイングし、且つ前記第１水平羽根の組み合わせが前記周縁部に沿って順にシフトするように、各前記水平羽根（７１ａ〜７１ｄ）を制御する制御部（６７）と、
を備え、
前記ケーシング（５１）の前記下面は、平面視において略４角形の形状を有し、
前記水平羽根（７１ａ〜７１ｄ）は、前記下面の各辺に対応して４つ設けられており、
前記制御部（６７）は、前記第１水平羽根の組み合わせを順次１つずつずらしていく、
空気調和装置の天井設置型室内ユニット（４）。
【請求項２】
前記制御部（６７）は、前記第１水平羽根が前記吹き出し口に対し上下方向に所定回数往復回動する毎に、前記第１水平羽根の組み合わせをシフトさせる、
請求項１に記載の空気調和装置の天井設置型室内ユニット（４）。
【請求項３】
前記制御部（６７）は、前記第１水平羽根が第１所定時間スイングする毎に、前記第１水平羽根の組み合わせをシフトさせる、
請求項１に記載の空気調和装置の天井設置型室内ユニット（４）。
【請求項４】
前記制御部（６７）は、前記第１水平羽根が同期して同じ姿勢を採りつつスイングする間、少なくとも４つの前記水平羽根のうち前記第１水平羽根を除く残りの第２水平羽根を所定の角度で固定した状態にする、
請求項１〜３のいずれか１項に記載の空気調和装置の天井設置型室内ユニット（４）。
【請求項５】
前記第１水平羽根（７１ａ〜７１ｄ）は、前記吹き出し口に対し上下方向に往復回動し、
前記制御部（６７）は、前記第１水平羽根の回動方向が変化する時、その水平羽根の動作を一時的に停止させる、
請求項１〜４のいずれか１項に記載の空気調和装置の天井設置型室内ユニット（４）。
【請求項６】
前記制御部（６７）は、
運転開始から第２所定時間の間、前記第１水平羽根が同期して同じ姿勢を採りつつスイングし、且つ前記第１水平羽根の組み合わせが前記周縁部に沿って順にシフトするように、各前記水平羽根を制御し、
運転開始から前記第２所定時間経過後、前記第１水平羽根を所定角度傾斜させる、
請求項１〜５のいずれか１項に記載の空気調和装置の天井設置型室内ユニット（４）。
【請求項７】
前記吹き出し口（５６）は、各前記水平羽根（７１ａ〜７１ｄ）によって区分され前記下面の各角部に対応する角部吹出口を有している、
請求項１〜６のいずれか１項に記載の空気調和装置の天井設置型室内ユニット（４）。
【請求項８】
前記第１水平羽根は、互いに隣り合う３つの前記水平羽根で構成されている、
請求項７に記載の空気調和装置の天井設置型室内ユニット（４）。
【発明の詳細な説明】
【技術分野】
【０００１】
本発明は、空気調和装置の天井設置型室内ユニット、特に、それぞれ独立して上下方向の風向角度を変更することが可能な少なくとも４つの水平羽根が吹き出し口に設けられた空気調和装置の天井設置型室内ユニットに関する。
【背景技術】
【０００２】
従来より、空気調和装置の室内機として、空調室内の天井に設置されるタイプのものがある。このような室内機としては、特許文献１（特開２００９−１０３４１７号公報）に開示されているものがある。特許文献１に係る空気調和装置の室内機には、１つの吸い込み口と、該吸い込み口を囲むようにして位置する４つの吹き出し口とが設けられており、各吹き出し口には回動可能な水平羽根が設けられている。この室内機は、相対向する吹き出し口の２つの水平羽根と別の相対向する吹き出し口の２つの水平羽根とが互いに逆方向にスイングする、いわゆるデュアルモードを有している。
【発明の概要】
【発明が解決しようとする課題】
【０００３】
しかしながら、上記デュアルモードでは、互いに隣り合う水平羽根は互いに逆方向に回動することとなる。つまり、任意の水平羽根が上方向に回動している一方で、該水平羽根の隣に位置する水平羽根は、下方向に回動していることとなる。そのため、上記デュアルモードでは、吹き出し口から吹き出される空気を室内機から離れた箇所へと送ることが困難であり、更には空調室内の空気を効果的に攪拌するとは言い難い。
【０００４】
そこで、本発明の課題は、遠方への送風到達性を向上させること、ならびに空調室内の空気の攪拌性を向上させることとする。
【課題を解決するための手段】
【０００５】
本発明の第１観点に係る空気調和装置の天井設置型室内ユニットは、空調室の天井に設けられる空気調和装置の天井設置型室内ユニットであって、ケーシングと、少なくとも４つの水平羽根と、制御部とを備える。ケーシングの下面には、該下面の周縁部に沿うように吹き出し口が形成されている。少なくとも４つの水平羽根は、吹き出し口に回動可能に設けられており、それぞれ独立して上下方向の風向角度を変更することが可能である。制御部は、水平羽根のうち、互いに隣接する少なくとも２つの水平羽根（以下、第１水平羽根と言う）が同期して同じ姿勢を採りつつスイングするように、各水平羽根を制御する。更に、制御部は、第１水平羽根の組み合わせが、下面の周縁部に沿って順にシフトするように、各水平羽根を制御する。ケーシングの下面は、平面視において略４角形の形状を有している。水平羽根は、下面の各辺に対応して４つ設けられている。そして、制御部は、第１水平羽根の組み合わせを順次１つずつずらしていく。
【０００６】
この天井設置型室内ユニットによると、互いに隣接する少なくとも２つの水平羽根、即ち第１水平羽根が、同期して同じ姿勢を採りつつスイングする。そのため、この天井設置型室内ユニットでは、隣接する水平羽根それぞれが個々に異なるスイングを行う場合に比して、室内ユニットの吹き出し口から空調室に吹き出される空気をより遠くへ送ることができると共に、高い攪拌効果を得ることができる。更には、第１水平羽根の組み合わせが、下面の周縁部に沿って順にシフトされる。そのため、同期してスイングする第１水平羽根の組み合わせが固定されている場合に比して、より高い攪拌効果を得ることができる。
【０００７】
また、この天井設置型室内ユニットによると、第１水平羽根の組み合わせは、順々に１つずつずれていく。そのため、空調室内の空気はより攪拌され易くなる。そして、空調室内の空気を効果的に攪拌できるので、より多くの空調空気を遠方まで送ることができる。
【０００８】
本発明の第２観点に係る空気調和装置の天井設置型室内ユニットは、第１観点に係る空気調和装置の天井設置型室内ユニットにおいて、制御部は、第１水平羽根が吹き出し口に対し上下方向に所定回数往復回動する毎に、第１水平羽根の組み合わせをシフトさせる。
【０００９】
この天井設置型室内ユニットによると、第１水平羽根の組み合わせがシフトするタイミングは、第１水平羽根の往復回動の動作にあわせられることとなる。そのため、往復回動する回数を設定することで、遠方への送風到達性を優先させたり、空調室内の空気の攪拌性を優先させたりすることができる。
【００１０】
本発明の第３観点に係る空気調和装置の天井設置型室内ユニットは、第１観点に係る空気調和装置の天井設置型室内ユニットにおいて、制御部は、第１水平羽根が第１所定時間スイングする毎に、第１水平羽根の組み合わせをシフトさせる。
【００１１】
この天井設置型室内ユニットによると、第１水平羽根が第１所定時間の間スイングした後に、第１水平羽根の組み合わせがシフトされる。そのため、第１所定時間を設定することで、遠方への送風到達性を優先させたり、空調室内の空気の攪拌性を優先させたりすることができる。
【００１２】
本発明の第４観点に係る空気調和装置の天井設置型室内ユニットは、第１観点から第３観点のいずれかに係る空気調和装置の天井設置型室内ユニットにおいて、制御部は、第１水平羽根が同期して同じ姿勢を採りつつスイングする間、第２水平羽根を所定の角度で固定した状態にする。第２水平羽根は、少なくとも４つの水平羽根のうち、第１水平羽根を除く残りの羽根を言う。
【００１３】
この天井設置型室内ユニットによると、第１水平羽根以外の残りの羽根、即ち第２水平羽根は、第１水平羽根がスイングしている間は、所定の角度で固定される。そのため、スイングしている第１水平羽根によって、空調室内の空気は攪拌され、第２水平羽根によって、空調室内の空気は、例えば遠方に送られることとなる。
【００１４】
本発明の第５観点に係る空気調和装置の天井設置型室内ユニットは、第１観点から第４観点のいずれかに係る空気調和装置の天井設置型室内ユニットにおいて、第１水平羽根は、吹き出し口に対し上下方向に往復回動する。そして、制御部は、第１水平羽根の回動方向が変化する時、その水平羽根の動作を一時的に停止させる。
【００１５】
この天井設置型室内ユニットでは、第１水平羽根の回動方向の変化時に第１水平羽根の動作が一時的に停止する、いわゆる休止期間が設けられている。これにより、空調室内の空気を攪拌している途中において、吹き出し口から吹き出される空気は、例えば水平方向や垂直方向へと確実に吹き出されるようになる。
【００１６】
本発明の第６観点に係る空気調和装置の天井設置型室内ユニットは、第１観点から第５観点のいずれかに係る空気調和装置の天井設置型室内ユニットにおいて、制御部は、運転開始から第２所定時間の間、第１水平羽根が同期して同じ姿勢を取りつつスイングし、且つ第１水平羽根の組み合わせが下面の周縁部に沿って順にシフトするように、各水平羽根を制御する。そして、制御部は、運転開始から第２所定時間経過後、第１水平羽根を所定角度傾斜させる。
【００１７】
この天井設置型室内ユニットでは、運転開始から第２所定時間が経過すると、第１水平羽根が同期しながらスイングし、かつ第１水平羽根の組み合わせが順次シフトする動作は終了する。そして、第１水平羽根は、所定角度傾斜するようになる。これにより、空気の攪拌が十分になされた空調室内に所望の温度の空気を供給することができるため、ドラフトによってユーザが感じる不快感を抑えることができ、空調室内を快適にすることができる。
【００１８】
本発明の第７観点に係る空気調和装置の天井設置型室内ユニットは、第１観点から第６観点のいずれかに係る空気調和装置の天井設置型室内ユニットにおいて、吹き出し口が各水平羽根によって区分され下面の各角部に対応する角部吹出口を有している。
【００１９】
この天井設置型室内ユニットでは、任意の角部吹き出し口を挟んで隣接する第１水平羽根は、同期して同じ姿勢を採りつつスイングする。更に、この第１水平羽根の組み合わせは、順次シフトしていく。そのため、角部吹き出し口から吹き出される空気は、この角部を挟んで隣接する第１水平羽根によって開閉される吹き出し口の部分から吹き出される空気と共に、空調室内の空気の一部を取り込みながら第１水平羽根によって確実に遠方まで送られる。従って、個々の水平羽根を同期させることなく個別にスイングさせる場合に比して、より多くの吹き出される空気によって空調室内の空気を攪拌できると共に、より多くの空調空気を遠方まで送ることができる。
【００２０】
本発明の第８観点に係る空気調和装置の天井設置型室内ユニットは、第７観点に係る空気調和装置の天井設置型室内ユニットにおいて、第１水平羽根は、互いに隣り合う３つの水平羽根で構成されている。
【００２１】
これにより、空調室内の空気を効果的に攪拌できると共に、より多くの空調空気を遠方まで送ることができる。
【発明の効果】
【００２２】
以上の説明に述べたように、本発明によれば、以下の効果が得られる。
【００２３】
本発明の第１観点にかかる空気調和装置の天井設置型室内ユニットによると、室内ユニットの吹き出し口から空調室に吹き出される空気をより遠くへ送ることができると共に、より高い攪拌効果を得ることができる。また、空調室内の空気はより攪拌され易くなる。さらに、空調室内の空気を効果的に攪拌できるので、より多くの空調空気を遠方まで送ることができる。
【００２４】
本発明の第２観点にかかる空気調和装置の天井設置型室内ユニットによると、往復回動する回数を設定することで、遠方への送風到達性を優先させたり、空調室内の空気の攪拌性を優先させたりすることができる。
【００２５】
本発明の第３観点にかかる空気調和装置の天井設置型室内ユニットによると、第１所定時間を設定することで、遠方への送風到達性を優先させたり、空調室内の空気の攪拌性を優先させたりすることができる。
【００２６】
本発明の第４観点にかかる空気調和装置の天井設置型室内ユニットによると、スイングしている第１水平羽根によって、空調室内の空気は攪拌され、第２水平羽根によって、空調室内の空気は、例えば遠方に送られることとなる。
【００２７】
本発明の第５観点にかかる空気調和装置の天井設置型室内ユニットによると、空調室内の空気を攪拌している途中において、吹き出し口から吹き出される空気は、例えば水平方向や垂直方向へと確実に吹き出されるようになる。
【００２８】
本発明の第６観点にかかる空気調和装置の天井設置型室内ユニットによると、ドラフトによってユーザが感じる不快感を抑えることができ、空調室内を快適にすることができる。
【００２９】
本発明の第７観点にかかる空気調和装置の天井設置型室内ユニットによると、より多くの吹き出される空気によって空調室内の空気を攪拌できると共に、より多くの空調空気を遠方まで送ることができる。
【００３０】
本発明の第８観点にかかる空気調和装置の天井設置型室内ユニットによると、空調室内の空気を効果的に攪拌できると共に、より多くの空調空気を遠方まで送ることができる。
【図面の簡単な説明】
【００３１】
【図１】本発明の一実施形態にかかる天井設置型室内ユニットが採用された空気調和装置の概略構成図である。
【図２】本発明の一実施形態にかかる天井設置型室内ユニットの外観斜視図である。
【図３】本発明の一実施形態にかかる天井設置型室内ユニットの概略側面断面図であって、図４のＩ−Ｏ−Ｉ断面図である。
【図４】本発明の一実施形態にかかる天井設置型室内ユニットの天板を取り除いた状態を示す概略平面図である。
【図５】本発明の一実施形態にかかる天井設置型室内ユニットの化粧パネルの下面視、つまりは化粧パネルを空調室内から見た平面図である。
【図６】本発明の一実施形態にかかる天井設置型室内ユニットの吹出口から吹き出される空調空気の気流、及び、人検知センサの検知範囲を示す模式図である。
【図７】本発明の一実施形態にかかる天井設置型室内ユニットに設けられた人検知センサの構成を示す模式図である。
【図８】本発明の一実施形態にかかる天井設置型室内ユニットの側面視における人検知センサの検知範囲を示す模式図である。
【図９】本発明の一実施形態にかかる室内制御部と、該制御部に接続された天井設置型室内ユニット内の各種機器とを模試的に示すブロック図である。
【図１０】本発明の一実施形態にかかる天井設置型室内ユニットの水平羽根の風向変更範囲を示す図である。
【図１１】本発明の一実施形態にかかる天井設置型室内ユニットの各水平羽根の動作を説明するためのタイミングチャートである。
【図１２】第１水平羽根の組み合わせが順にシフトする様子を示す図である。
【図１３】各種モードの設定を行う際に、リモートコントローラの表示部に表示される画面例である。
【図１４】本発明の一実施形態にかかる天井設置型室内ユニットが採用された空気調和装置の全体的な動作の流れを示すフローチャートである。
【図１５】本発明の一実施形態にかかる天井設置型室内ユニットが採用された空気調和装置の全体的な動作の流れを示すフローチャートである。
【図１６】その他の実施形態（Ａ）にかかる第１水平羽根の組み合わせが順にシフトする様子を示す図である。
【図１７】その他の実施形態（Ｄ）にかかる各水平羽根の動作を説明するためのタイミングチャートである。
【図１８】その他の実施形態（Ｄ）にかかる第１水平羽根の組み合わせが順にシフトする様子を示す図である。
【発明を実施するための形態】
【００３２】
本発明にかかる天井設置型室内ユニットの実施形態について、図面に基づいて説明する。
【００３３】
＜構成＞
−全体−
図１は、本発明の一実施形態にかかる天井設置型室内ユニット４が採用された空気調和装置１の概略構成図である。空気調和装置１は、スプリットタイプの空気調和装置であり、主として、室外ユニット２と、天井設置型室内ユニット４と、室外ユニット２と天井設置型室内ユニット４とを接続する液冷媒連絡管５及びガス冷媒連絡管６とを有しており、蒸気圧縮式の冷媒回路１０を構成している。このような空気調和装置１は、冷房運転及び暖房運転を行うことが可能となっている。
【００３４】
−室外ユニット−
室外ユニット２は、室外等に設置されており、主として、圧縮機２１と、四路切換弁２２と、室外熱交換器２３と、膨張弁２４と、液側閉鎖弁２５と、ガス側閉鎖弁２６とを有している。
【００３５】
圧縮機２１は、低圧のガス冷媒を吸入し、圧縮して高圧のガス冷媒とした後に吐出する機構である。ここでは、圧縮機２１として、ケーシング（図示せず）内に収容されたロータリ式やスクロール式等の容積式の圧縮要素（図示せず）が、同じくケーシング内に収容された圧縮機モータ２１ａによって駆動される密閉式圧縮機が採用されている。圧縮機モータ２１ａは、インバータ装置（図示せず）によって、その回転数（すなわち、運転周波数）を可変でき、これにより、圧縮機２１の容量制御が可能になっている。
【００３６】
四路切換弁２２は、冷房運転と暖房運転との切換時に、冷媒の流れの方向を切り換えるための弁である。四路切換弁２２は、冷房運転時には、圧縮機２１の吐出側と室外熱交換器２３のガス側とを接続するとともにガス側閉鎖弁２６と圧縮機２１の吸入側とを接続することが可能である（図１における四路切換弁２２の実線を参照）。また、四路切換弁２２は、暖房運転時には、圧縮機２１の吐出側とガス側閉鎖弁２６とを接続するとともに室外熱交換器２３のガス側と圧縮機２１の吸入側とを接続することが可能である（図１における四路切換弁２２の破線を参照）。
【００３７】
室外熱交換器２３は、冷房運転時には冷媒の放熱器として機能し、暖房運転時には冷媒の蒸発器として機能する熱交換器である。室外熱交換器２３は、その液側が膨張弁２４に接続されており、ガス側が四路切換弁２２に接続されている。
【００３８】
膨張弁２４は、冷房運転時には、室外熱交換器２３において放熱した高圧の液冷媒を室内熱交換器４２（後述）に送る前に減圧する。また、膨張弁２４は、暖房運転時には、室内熱交換器４２において放熱した高圧の液冷媒を室外熱交換器２３に送る前に減圧することが可能な電動膨張弁である。
【００３９】
液側閉鎖弁２５及びガス側閉鎖弁２６は、外部の機器・配管（具体的には、液冷媒連絡管５及びガス冷媒連絡管６）との接続口に設けられた弁である。液側閉鎖弁２５は、膨張弁２４に接続されている。ガス側閉鎖弁２６は、四路切換弁２２に接続されている。
【００４０】
また、室外ユニット２には、該ユニット２内に室外空気を吸入して、室外熱交換器２３に室外空気を供給した後に、空気を該ユニット２の外に排出するための室外ファン２７が設けられている。すなわち、室外熱交換器２３は、室外空気を冷却源又は加熱源として冷媒を放熱や蒸発させる熱交換器となっている。ここでは、室外ファン２７として、室外ファンモータ２７ａによって駆動されるプロペラファンが採用されている。室外ファンモータ２７ａは、インバータ装置（図示せず）によって、その回転数（すなわち、運転周波数）を可変でき、これにより、室外ファン２７の風量制御が可能になっている。
【００４１】
また、室外ユニット２には、図示してはいないが、吸入圧力や吐出圧力を検知するセンサ、室外熱交換器２３の液側における冷媒の温度を検知するセンサ、外気温度を検知するセンサが設けられている。
【００４２】
更に、室外ユニット２は、室外ユニット２を構成する各機器の動作を制御する室外制御部３９を有している。室外制御部３９は、ＣＰＵ及びメモリからなるマイクロコンピュータで構成され、天井設置型室内ユニット４の室内制御部６７（後述）との間で制御信号等のやりとりを行うことができるようになっている。
【００４３】
−液冷媒連絡管−
液冷媒連絡管５は、液側閉鎖弁２５に接続された冷媒管である。液冷媒連絡管５は、冷房運転時に、冷媒の放熱器として機能する室外熱交換器２３の出口から室外ユニット２外に冷媒を導出することが可能な冷媒管である。また、液冷媒連絡管５は、暖房運転時に、室外ユニット２外から冷媒の蒸発器として機能する室外熱交換器２３の入口に冷媒を導入することが可能な冷媒管でもある。
【００４４】
−ガス冷媒連絡管−
ガス冷媒連絡管６は、ガス側閉鎖弁２６に接続された冷媒管である。ガス冷媒連絡管６は、冷房運転時に、室外ユニット２外から圧縮機２１の吸入に冷媒を導入することが可能な冷媒管である。また、ガス冷媒連絡管６は、暖房運転時に、圧縮機２１の吐出から室外ユニット２外に冷媒を導出することが可能な冷媒管でもある。
【００４５】
−天井設置型室内ユニット−
天井設置型室内ユニット４は、ここでは、天井埋込型と呼ばれる型式の天井設置型空気調和装置が採用されている。天井設置型室内ユニット４は、図２〜図５及び図９に示すように、内部に各種構成機器を収納するケーシング５１と、４つの水平羽根７１ａ，７１ｂ，７１ｃ，７１ｄと、各種センサ６１，６２，６３と、室内制御部６７（制御部に相当）と、リモコン用受信部６９とを有している。
【００４６】
−ケーシング−
ケーシング５１は、ケーシング本体５１ａと、ケーシング本体５１ａの下側に配置されておりケーシング５１の下面に相当する化粧パネル５２とから構成されている。ケーシング本体５１ａは、図３に示すように、空調室の天井Ｕに形成された開口に挿入されて配置されている。そして、化粧パネル５２は、天井Ｕの開口に嵌め込まれるように配置されている。ここで、図２は、天井設置型室内ユニット４の外観斜視図である。図３は、天井設置型室内ユニット４の概略側面断面図であって、図４のＩ−Ｏ−Ｉ断面図である。図４は、天井設置型室内ユニット４の天板５３を取り除いた状態を示す概略平面図である。図５は、天井設置型室内ユニット４の化粧パネル５２を空調室内から見た平面図である。図９は、室内制御部６７と、該制御部６７に接続された天井設置型室内ユニット４内の各種機器とを模試的に示すブロック図である。
【００４７】
ケーシング本体５１ａは、平面視が長辺と短辺とが交互に形成された略８角形状の箱状体であり、その下面が開口している。ケーシング本体５１ａは、長辺と短辺とが交互に連続して形成された略８角形状の天板５３と、天板５３の周縁部から下方に延びる側板５４とを有している。側板５４は、天板５３の長辺に対応する側板５４ａ，５４ｂ，５４ｃ，５４ｄと、天板５３の短辺に対応する側板５４ｅ，５４ｆ，５４ｇ，５４ｈとから構成されている。側板５４ｈは、室内熱交換器４２と冷媒連絡管５，６とを接続するための室内冷媒管４３，４４が貫通する部分を構成している（図４参照）。
【００４８】
そして、ケーシング本体５１ａの内部には、図３に示すように、主として、室内ファン４１と、室内熱交換器４２とが配置されている。
【００４９】
室内ファン４１は、空調室内の空気を吸い込み口５５を介してケーシング本体５１ａ内に吸い込むと共に、室内熱交換器４２にて熱交換された後の空気を吹き出し口５６を介してケーシング本体５１ａ内から吹き出す遠心送風機である。この室内ファン４１は、ケーシング本体５１ａの天板５３の中央に設けられた室内ファンモータ４１ａと、室内ファンモータ４１ａに連結されて回転駆動される羽根車４１ｂとを有している。羽根車４１ｂは、ターボ翼を有する羽根車であり、下方から羽根車４１ｂの内部に空気を吸い込み、平面視における羽根車４１ｂの外周側に向かって吹き出すことができる。室内ファンモータ４１ａは、インバータ装置（図示せず）によって、その回転数（すなわち、運転周波数）を可変でき、これにより、室内ファン４１の風量制御が可能になっている。
【００５０】
室内熱交換器４２は、冷房運転時には、冷媒の蒸発器として機能し、暖房運転時には、冷媒の放熱器として機能する熱交換器である。室内熱交換器４２は、室内冷媒管４３，４４を介して冷媒連絡管５，６（図１参照）に接続されており、平面視における室内ファン４１の周囲を囲むように曲げられて配置されたフィンチューブ型熱交換器で構成されている。室内熱交換器４２は、ケーシング本体５１ａ内に吸い込まれる空調室内の空気と冷媒との熱交換を行って、冷房運転時には、空調室内の空気を冷却し、暖房運転時には、空調室内の空気を加熱することができるようになっている。
【００５１】
尚、室内熱交換器４２の下側かつケーシング本体５１ａの下部には、ドレンパン４５が設置されている。ドレンパン４５は、室内熱交換器４２によって空気中の水分が凝縮されて生じるドレン水を受けるためのものである。また、ドレンパン４５の吸入孔４５ｊには、吸い込み口５５から吸い込まれる空気を室内ファン４１の羽根車４１ｂへ案内するためのベルマウス４１ｃが配置されている。
【００５２】
化粧パネル５２は、平面視が略４角形状の板状体であり、主として、ケーシング本体５１ａの下端部に固定されたパネル本体５２ａから構成されている。パネル本体５２ａには、吹き出し口５６と吸い込み口５５とが形成されている。吹き出し口５６は、空調室内に空気を吹き出すための開口であって、平面視においてパネル本体５２ａの周縁部に沿うようにして位置している。吸い込み口５５は、空調室内の空気を吸入するための開口であって、平面視においてパネル本体５２ａの略中央、つまりは吹き出し口５６に囲まれるようにして位置している。より具体的には、吸い込み口５５は、略４角形状の開口であって、吸い込み口５５には、吸入グリル５７と、吸い込み口５５から吸入される空気中の塵埃を除去するための吸入フィルタ５８とが設けられている。そして、吹き出し口５６は、略４角環状の開口である。これにより、パネル本体５２ａの４角形の各辺に対応する方向（図５の矢印Ｘ１，Ｘ２，Ｘ３，Ｘ４の方向を参照）だけでなく、パネル本体５２ａの４角形の各角部に対応する方向（図５の矢印Ｙ１，Ｙ２，Ｙ３，Ｙ４の方向を参照）にも、空調空気が吹き出されるようになっている。
【００５３】
−水平羽根−
４つの水平羽根７１ａ〜７１ｄは、パネル本体５２ａの４角形の各辺に対応するように位置すると共に、吹き出し口５６に回動可能に設けられている。水平羽根７１ａ〜７１ｄは、空調室内に吹き出される空調空気の上下方向の風向角度を変更することが可能となっている。より具体的には、水平羽根７１ａ〜７１ｄは、吹き出し口５６の４角形の各辺に沿って細長く延びる板状の部材であって、各水平羽根７１ａ〜７１ｄの長手方向の両端部は、吹き出し口５６の一部を塞ぐように配置された１対の羽根支持部７２，７３によって、長手方向の軸周りに回動可能になるように化粧パネル５２に支持されている。そして、各水平羽根７１ａ〜７１ｄは、羽根駆動モータ７４ａ，７４ｂ，７４ｃ，７４ｄによって駆動されるようになっている。これにより、水平羽根７１ａ〜７１ｄは、それぞれ独立して上下方向の風向角度を変更することが可能であり、吹き出し口５６に対し上下方向に往復回動することができるようになっている。尚、羽根駆動モータ７４ａ〜７４ｄは、ここでは、羽根支持部７２，７３に設けられている。
【００５４】
尚、上記羽根支持部７２，７３によって、吹き出し口５６は、パネル本体５２ａの４角形の各辺に対応する辺部吹出口５６ａ，５６ｂ，５６ｃ，５６ｄと、パネル本体５２ａの４角形の各角部に対応する角部吹出口５６ｅ，５６ｆ，５６ｇ，５６ｈとに区分されている。ここで、主として辺部吹出口５６ａから吹き出される空調空気（図５の矢印Ｘ１，Ｙ１，Ｙ２を参照）によって空調が行われるエリアを、“空調対象エリアＡ”とする（図６参照）。また、主として辺部吹出口５６ｂから吹き出される空調空気（図５の矢印Ｘ２，Ｙ２，Ｙ３を参照）によって空調が行われるエリアを、“空調対象エリアＢ”とする。また、主として辺部吹出口５６ｃから吹き出される空調空気（図５の矢印Ｘ３，Ｙ３，Ｙ４を参照）によって空調が行われるエリアを、“空調対象エリアＣ”とする。さらに、主として辺部吹出口５６ｄから吹き出される空調空気（図５の矢印Ｘ４，Ｙ４，Ｙ１を参照）によって空調が行われるエリアを、“空調対象エリアＤ”とする。
【００５５】
−各種センサ−
本実施形態に係る天井設置型室内ユニット４に設けられているセンサとしては、吸込空気温度センサ６１、人検知センサ６２、床温度センサ６３が挙げられる。
【００５６】
吸込空気温度センサ６１は、吸い込み口５５を通じてケーシング本体５１ａ内に吸い込まれる空調室内の空気の温度である吸込空気温度Ｔｒを検出する温度センサである。吸込空気温度センサ６１は、ここでは、図３に示すように、吸い込み口５５に設けられている。
【００５７】
人検知センサ６２は、空調室内における人の分布（ここでは、図６に係る空調対象エリアＡ〜Ｄにおける人の存在の有無）を検知する赤外線センサである。人検知センサ６２は、化粧パネル５２の下部の配置可能な位置、ここでは、化粧パネル５２の角部に１つ配置されている（図２，５参照）。より具体的には、人検知センサ６２は、角部吹出口５６ｆの外周側の位置に化粧パネル５２の表面から下方に突出するように設けられており、化粧パネル５２の平面視における形状は略円形である。人検知センサ６２は、物体から放射される赤外線放射エネルギーの変動によって、空調室内の人の有無を検知するタイプのセンサであって図７に示すように、赤外線受光素子（図示せず）に赤外線を受光させるための開口部６２ａが形成されている。ここで、開口部６２ａは、赤外線受光素子に赤外線を受光させることが可能な透過性部材によって覆われていてもよい。そして、開口部６２ａは、化粧パネル５２の平面視において、３６０度回転することが可能であり、各空調対象エリアＡ〜Ｄにおける人の存在の有無を検知することができるようになっている。また、人検知センサ６２の平面視における検知範囲は、図６に示すように、いずれの空調対象エリアＡ〜Ｄにおける人の存在の有無を検知する場合も、各検知角度α，β，γ，δが約９０度になるような範囲である。また、人検知センサ６２の側面視における検知範囲は、図８に示すように、いずれの空調対象エリアＡ〜Ｄにおける人の存在の有無を検知する場合も、各検知角度εが約１３５度になるような範囲である。
【００５８】
尚、人検知センサ６２は、上記の構造に限定されるものではなく、例えば、開口部６２ａが回転する代わりに、赤外線受光素子が回転するものであってもよいし、各空調対象エリアＡ〜Ｄの方向を向く４つの赤外線受光素子を有するものであってもよい。
【００５９】
床温度センサ６３は、空調室内における床面の温度Ｔｆを検知する赤外線センサである。床温度センサ６３は、化粧パネル５２の下部の配置可能な位置、ここでは、化粧パネル５２の角部に配置されている。より具体的には、床温度センサ６３は、人検知センサ６２と同じく、角部吹出口５６ｆの外周側の位置に化粧パネル５２の表面から下方を向くように設けられている。床温度センサ６３は、物体から放射される赤外線放射エネルギーによって、空調室内の床面の温度Ｔｆを検知する。
【００６０】
−室内制御部−
室内制御部６７は、ＣＰＵ及びメモリからなるマイクロコンピュータであって、天井設置型室内ユニット４を構成する各機器の動作を制御する。具体的には、図９に示すように、室内制御部６７は、該室内ユニット４における各種センサ６１〜６３、室内ファンモータ４１ａ、各羽根駆動モータ７４ａ〜７４ｄ、室外機用通信部６８、及びリモコン用受信部６９と電気的に接続されている。尚、室外機用通信部６８は、室外ユニット２の室外制御部３９との間で制御信号等のやりとりを行うためのものであって、室外制御部３９と配線９を介して電気的に接続されている（図１参照）。
【００６１】
このような室内制御部６７は、各種センサ６１〜６３の検知結果や空調室内に居るユーザによってリモートコントローラ９９（図１を参照）を介して行われた各種指示、室外制御部３９から送られてきた制御信号に基づいて、室内ファンモータ４１ａの駆動制御を行ったり、各羽根駆動モータ７４ａ〜７４ｄの駆動制御を行ったりする。例えば、ユーザによりリモートコンローラ９９を介して暖房運転や冷房運転の開始指示がなされた場合には、室内制御部６７は、各モータ４１ａ，７４ａ〜７４ｄの駆動を開始させる。尚、この場合、室外機用通信部６８は、室外ユニット２の駆動を開始させる旨及びどのような運転の開始指示がなされたかを示す制御信号を、室外制御部３９に送る。また、室内制御部６７は、リモートコントローラ９９を介して運転の停止指示がなされた場合には、各モータ４１ａ，７４ａ〜７４ｄの駆動を停止させる。尚、この場合、室外機用通信部６８は、室外ユニット２の駆動を停止させる旨の制御信号を、室外制御部３９に送る。
【００６２】
−水平羽根の風向角度の制御−
ここで、室内制御部６７による各水平羽根７１ａ〜７１ｄの風向角度の制御について説明する。空気調和装置１が暖房運転や冷房運転を行っている間、室内制御部６７は、リモートコントローラ９９からの要求や各種センサ６１〜６３の検出値等に基づいて、各水平羽根７１ａ〜７１ｄを固定状態又はスイング状態に設定することができる。固定状態とは、各羽根駆動モータ７４ａ〜７４ｄの駆動により、各水平羽根７１ａ〜７１ｄの風向角度が所望の風向角度で固定された状態を言う。尚、各水平羽根７１ａ〜７１ｄの風向角度は、図１０に示すように、空調空気が約水平方向に吹き出す風向角度である風向Ｐ０（水平吹き風向）と空調空気が最も下方向に吹き出す風向角度である風向Ｐ４との間で、複数段階に変更可能である。ここでは、各水平羽根７１ａ〜７１ｄの風向角度は、風向Ｐ０、風向Ｐ０よりも下向きの風向Ｐ１、風向Ｐ１よりも下向きの風向Ｐ２、風向Ｐ２よりも下向きの風向Ｐ３、及び、最も下向きの風向Ｐ４の５段階に変更可能となっている。スイング状態とは、各羽根駆動モータ７４ａ〜７４ｄを駆動して、各水平羽根７１ａ〜７１ｄの風向角度を風向変更範囲内（ここでは、風向Ｐ０と風向Ｐ４との間）で繰り返し上下に変更することで、各水平羽根７１ａ〜７１ｄを往復回動させる状態を言う。室内制御部６７は、上述した風向角度の制御を、個々の水平羽根７１ａ〜７１ｄに対し行うことが可能となっている。
【００６３】
尚、各水平羽根７１ａ〜７１ｄは、天井設置型室内ユニット４が運転をしていない状態時においては、吹き出し口５６（具体的には、辺部吹出口５６ａ〜５６ｄ）を閉じた状態を採る。以下では、説明の便宜上、水平羽根７１ａ〜７１ｄが閉じた状態である場合の風向角度を、“風向Ｐ０ｃ”として表すこととする（図１１参照）。そして、各水平羽根７１ａ〜７１ｄは、運転している状態時においては、上述した固定状態又はスイング状態において、風向Ｐ０ｃ〜Ｐ４のいずれかを採ることが可能となる。
【００６４】
−隣接する水平羽根を同期してスイングさせる制御−
しかしながら、天井設置型室内ユニット４が運転を開始する際には、空調室内の温度分布に偏りが生じている。そのため、天井設置型室内ユニット４の運転開始時には、実際に所望する風向角度へと空調空気を送ることで暖房運転や冷房運転を行う前に、効果的に空調室内の空気の攪拌を行うと良い。
【００６５】
そこで、本実施形態に係る室内制御部６７は、図１１に示すように、天井設置型室内ユニット４の運転開始指示がなされてから所定時間（第２所定時間に相当）の間、４つの水平羽根７１ａ〜７１ｄのうち、互いに隣接する２つの水平羽根（以下、第１水平羽根と言う）が同期して同じ姿勢を採りつつスイングするように、各羽根駆動モータ７４ａ〜７４ｄの駆動制御を行うことで、各水平羽根７１ａ〜７１ｄの回動制御を行う。更に、上記回動制御においては、室内制御部６７は、４つの水平羽根７１ａ〜７１ｄのうち、第１水平羽根（例えば、水平羽根７１ａ，７１ｂ）を除く残りの水平羽根（例えば、水平羽根７１ｃ，７１ｄ。以下、第２水平羽根と言う）を、所定の角度（例えば、風向Ｐ０）に固定した状態にさせておく。
【００６６】
更に、室内制御部６７は、天井設置型室内ユニット４の運転開始指示がなされてから所定時間の間、第１水平羽根の組み合わせが化粧パネル５２の周縁部に沿って順にシフトするように、第１水平羽根の組み合わせシフト制御も行う。特に、本実施形態に係る室内制御部６７は、第１水平羽根が吹き出し口５６に対し上下方向に所定回数往復回動する毎に、第１水平羽根の組み合わせをシフトさせていく。
【００６７】
以下、図１１及び図１２を用いて、上述した回動制御及び組み合わせシフト制御によって水平羽根７１ａ〜７１ｄが採る動作について、具体的に説明する。図１１及び図１２では、一例として、第１水平羽根が上下方向に１往復、つまりは１回スイングする毎に、第１水平羽根の組み合わせがシフトする場合を表している。図１２では、塗り潰されている水平羽根は、上述した第１水平羽根を表し、塗り潰されていない水平羽根は、上述した第２水平羽根を表している。運転開始前、各水平羽根７１ａ〜７１ｄは、それぞれ吹き出し口５６を閉じた姿勢（風向Ｐ０ｃ）となっている。
【００６８】
運転開始時、先ずは、化粧パネル５２の角部吹出口５６ｆを挟んで隣り合う水平羽根７１ａと水平羽根７１ｂとが第１水平羽根に該当し、該羽根７１ａ，７１ｂは、同じタイミングでかつ同じ姿勢を採りながらスイングを開始する。具体的に、水平羽根７１ａ，７１ｂは、共に風向Ｐ０ｃから風向Ｐ４へと回動する方向、つまりは下方向に、同じ回動速度で回動する。従って、各水平羽根７１ａ，７１ｂの風向角度は、同じタイミングで風向Ｐ０から風向Ｐ１、風向Ｐ２、風向Ｐ３に至り、やがてほぼ同時に風向Ｐ４に達する。水平羽根７１ａ，７１ｂが風向Ｐ４に達した後、水平羽根７１ａ，７１ｂの回動方向は、下方向から上方向へと変化し、水平羽根７１ａ，７１ｂの風向角度は、やがてほぼ同時に風向Ｐ０に達する。この間、角部吹出口５６ｈを挟んで隣り合う水平羽根７１ｃ及び水平羽根７１ｄは、吹き出し口５６を閉じた姿勢（風向Ｐ０ｃ）のままで固定されている。つまり、水平羽根７１ａ，７１ｂが第１水平羽根である間は、水平羽根７１ｃ，７１ｄは、第２水平羽根に該当する。
【００６９】
水平羽根７１ａ，７１ｂが上下方向に１回往復すると、第１水平羽根の組み合わせは、水平羽根７１ａ，７１ｂの組み合わせから水平羽根７１ｂ，７１ｃの組み合わせへと変化する。一方で、第２水平羽根の組み合わせは、水平羽根７１ｃ，７１ｄの組み合わせから水平羽根７１ａ，７１ｄの組み合わせへと変化する。新たに第１水平羽根となった水平羽根７１ｂ，７１ｃは、その直前に第１水平羽根であった水平羽根７１ａ，７１ｂと同様、同じタイミングでかつ同じ姿勢を採りながら上下方向に１回のみスイングする。この間、第２水平羽根である水平羽根７１ａ，７１ｄは、それぞれ風向Ｐ０，Ｐ０ｃに対応する風向角度の状態のまま、固定される。
【００７０】
水平羽根７１ｂ，７１ｃが上下方向に１回往復した後、第１水平羽根の組み合わせは、水平羽根７１ｂ，７１ｃの組み合わせから水平羽根７１ｃ，７１ｄの組み合わせへと変化する。一方で、第２水平羽根の組み合わせは、水平羽根７１ａ，７１ｄの組み合わせから水平羽根７１ａ，７１ｂの組み合わせへと変化する。新たに第１水平羽根となった水平羽根７１ｃ，７１ｄは、同じタイミングでかつ同じ姿勢を採りながら上下方向に１回のみスイングし、第２水平羽根となった水平羽根７１ａ，７１ｂは、それぞれ風向Ｐ０に対応する風向角度の状態のまま、固定される。
【００７１】
このような動作が繰り返されることにより、４つの水平羽根７１ａ〜７１ｄのうち、角部吹出口５６ｅ〜５６ｈを挟んで隣り合う２つ水平羽根が第１水平羽根となり、第１水平羽根の組み合わせは、第１水平羽根が１回スイングする毎に、水平羽根７１ａ，７１ｂから７１ｂ，７１ｃへ、７１ｂ，７１ｃから７１ｃ，７１ｄへ、７１ｃ，７１ｄから７１ｄ，７１ａへと次々に変化していく。つまり、本実施形態では、第１水平羽根の組み合わせは、化粧パネル５２の下面視において時計回りに、順次１つずつずれていくこととなる（図５，１２参照）。従って、第１水平羽根の組み合わせは、それまで第１水平羽根であった２つの水平羽根のうち左側に位置する水平羽根と、この水平羽根の更に左隣に位置しておりそれまでは第２水平羽根であった水平羽根との組み合わせとなるように、順次シフトしていくのである。そして、その時々における残りの２つの水平羽根７１ａ〜７１ｄ（他の角部吹出口５６ｅ〜５６ｈを挟んで隣り合う２つ水平羽根）が第２水平羽根となり、第２水平羽根の組み合わせも、第１水平羽根の組み合わせのシフトに伴って順次変化していく。即ち、個々の水平羽根７１ａ〜７１ｄに着目すると、各水平羽根７１ａ〜７１ｄは、自身が連続して２回スイングした後、他の羽根のスイング２回分だけ姿勢が固定される。各水平羽根７１ａ〜７１ｄが固定の姿勢から再度スイングをし出すタイミングは、水平羽根７１ａ〜７１ｄ同士で重畳しておらず、水平羽根７１ａ〜７１ｂ毎に異なっている。これにより、個々の水平羽根７１ａ〜７１ｄを同期させることなく個別にスイングする場合に比して、吹き出し口５６から吹き出される空気は、空調室内の空気の一部と混ざりながら第１水平羽根によって確実に遠方まで送られる。更に、第１水平羽根の組み合わせが順にシフトしていくことで、一方向にのみ空気が送られるのではなく、様々な方向に空気が送られることとなる。そのため、例えばスイングする水平羽根が１枚のみであって、この羽根が順にシフトしていく場合に比して、様々な方向に力強く空気が案内されることとなり、空調室内の空気の攪拌性も高まる。
【００７２】
更に、室内制御部６７は、図１１に示すように、第１水平羽根（例えば、水平羽根７１ａ，７１ｂ）の回動方向（上下方向）が変化する時、当該第１水平羽根の動作を一時的に停止する制御を行う。例えば、図１１では、第１水平羽根としてスイングしている水平羽根７１ａ，７１ｂの回動方向が下方向であってその風向角度が共に風向Ｐ４に達した場合、水平羽根７１ａ，７１ｂは共に、風向Ｐ４の状態で休止期間ＴＡの間固定されている。この場合、辺部吹出口５６ａ，５６ｂ及び角部吹出口５６ｆから吹き出される空気は、休止期間ＴＡの間、水平羽根７１ａ，７１ｂによって略垂直方向へと吹き出されることとなる。また、例えば第１水平羽根としてスイングしている水平羽根７１ｃ，７１ｄの回動方向が上方向であってその風向角度が共に風向Ｐ０に達した場合、水平羽根７１ａ，７１ｂは共に、風向Ｐ０の状態で休止期間ＴＡの間固定されている。この場合、辺部吹出口５６ｃ，５６ｄ及び角部吹出口５６ｈから吹き出される空気は、休止期間ＴＡの間、水平羽根７１ｃ，７１ｄによって略水平方向へと吹き出されることとなる。このように、第１水平羽根の回動方向が変化する時に、第１水平羽根の動作が一時的に休止されることにより、吹き出し口５６から吹き出される空気を垂直方向ないしは水平方向へと確実に送ることができるようになる。
【００７３】
尚、上記休止期間ＴＡは、吹き出し口５６から空調室へと吹き出される空気の量や空調室内の設定温度等に基づいて、机上計算やシミュレーション、実験等によって予め所定の値に決定されている。この場合、休止期間ＴＡの長さは、最大５秒であって、例えば３秒と決定される。
【００７４】
また、室内制御部６７は、運転開始から所定時間経過後、上記回動制御及び組み合わせシフト制御を終了し、各水平羽根７１ａ〜７１ｄを所定角度傾斜させる。これにより、運転開始から所定時間の間に、同期してスイングしていた第１水平羽根はスイング動作をやめ、所定の角度に固定されていた第２水平羽根は固定が解除され、各水平羽根７１ａ〜７１ｄの風向角度は、風向Ｐ０〜Ｐ４のいずれかとなる。例えば、運転開始から所定時間経過後、各水平羽根７１ａ〜７１ｄの風向角度は、運転の種類や設定温度、リモートコントローラ９９を介して設定された風量等により、風向Ｐ０〜Ｐ４のいずれかを採り得る。また、リモートコントローラ９９を介してスイング動作が設定された場合には、水平羽根７１ａ〜７１ｄは、個々に独立して上下方向に回動するスイング動作を行うことで、風向Ｐ０〜Ｐ４のいずれかを採ることができる。
【００７５】
ここで、上記回動制御及び組み合わせシフト制御が行われる所定時間は、例えば５分であることができ、机上計算やシミュレーション、実験等によって予め決定されていてもよい。また、上記所定時間は、その時々の空調室内の状態（具体的には、床の温度Ｔｆや、空調室内の人の有無、吸込空気温度Ｔｒ等）に応じて、室内制御部６７によって適宜決定されてもよい。
【００７６】
−風量制御−
また、室内制御部６７は、室内ファン４１の風量の制御を行う。室内ファン４１の風量は、室内制御部６７が室内ファンモータ４１ａの回転数を変更することによって、最も回転数が大きく大風量の風量Ｈ、風量Ｈの回転数よりも小さく中程度の風量の風量Ｍ、風量Ｍの回転数よりもさら小さく小風量の風量Ｌ、及び、風量Ｌの回転数よりもさら小さく最小風量の風量ＬＬの間で４段階に変更されることができる。ここで、風量Ｈ、風量Ｍ及び風量Ｌは、リモートコントローラ９９からの要求や各種センサ６１〜６３の検出値等に基づいて設定することが可能である。しかし、風量ＬＬは、リモートコントローラ９９からの要求によっては設定することができず、所定の制御状態の場合に制御的に設定されるものである。
【００７７】
−リモコン用受信部−
リモコン用受信部６９は、リモートコンローラ９９からの各種要求を受信するためのものであって、例えば赤外線受光素子等によって構成されている。具体的には、リモコン用受信部６９は、リモートコントローラ９９を介してユーザによりなされた冷房運転や暖房運転の開始指示を受信したり、空調室内の設定温度、風量及び風向設定、タイマによる運転のオン及びオフの指示を受信したりすることができる。
【００７８】
特に、本実施形態に係るリモコン用受信部６９は、ユーザよりリモートコントローラ９９を介してなされた風向に関する各種設定や、上述した回動制御及び組み合わせシフト制御が行われる“サイクルスイング”モードの設定等を受け付けることができる。ここで、図１３は、リモコン用受信部６９の受信する各種設定がユーザによってなされる場合に、リモートコントローラ９９の表示部９９ａに表示される画面Ｄ１，Ｄ２を、一例として示している。画面Ｄ１は、メインメニューの画面であって、該メインメニューから“風向設定”が選択されると、モード選択用画面Ｄ２が表示される。画面Ｄ２上からは、運転開始から所定時間の間の水平羽根の動作の内容として、各水平羽根７１ａ〜７１ｄが個々に独立して回動する“独立スイング”モード、上述した回動制御及び組み合わせシフト制御が行われる “サイクルスイング”モードのいずれかが選択できるようになっている。
【００７９】
＜動作＞
（１）天井設置型室内ユニットの全体的な動作の流れ
図１４，１５は、本実施形態に係る天井設置型室内ユニット４が採用された空気調和装置１の全体的な動作の流れを示すフロー図である。
【００８０】
ステップＳ１：リモートコントローラ９９を介して、ユーザにより空気調和装置１の暖房運転及び冷房運転等の運転開始が指示された場合（Ｓ１のＹｅｓ）、室外ユニット２及び天井設置型室内ユニット４は、運転を開始する。
【００８１】
ステップＳ２〜Ｓ３：運転開始の指示がなされる前に、リモートコントローラ９９を介して“サイクルスイング”モードが設定されている場合（Ｓ２のＹｅｓ）、室内制御部６７は、上述した図１１，１２に係る各水平羽根７１ａ〜７１ｄの回動制御及び第１水平羽根の組み合わせシフト制御を行う（Ｓ３）。つまり、室内制御部６７は、第１水平羽根に対しては同期して同じ姿勢を採りつつスイングするように回動制御を行い、第２水平羽根に対しては所定の角度に固定させる回動制御を行う。更に、室内制御部６７は、第１水平羽根が１回スイングする毎に、第１水平羽根の組み合わせを、化粧パネル５２の下面視における時計回りに１つずつシフトさせていく。
【００８２】
ステップＳ４：ステップＳ２において、“独立スイング”モードが設定されている場合（Ｓ２のＮｏ）、室内制御部６７は、各水平羽根７１ａ〜７１ｄを同期しつつ回動させたりせずに、個々に回動させる（Ｓ４）。
【００８３】
ステップＳ５〜Ｓ６：ステップＳ１に係る運転開始指示がなされてから所定時間経過した場合（Ｓ５のＹｅｓ）、室内制御部６７は、ステップＳ３，４に係る各水平羽根７１ａ〜７１ｄの制御を終了する（Ｓ６）。
【００８４】
ステップＳ７〜Ｓ８：ステップＳ１において指示された運転の内容が“暖房運転”である場合には（Ｓ７のＹｅｓ）、室内制御部６７は、空調室内が所望の設定に応じて暖房されるように、リモートコントローラ９９を介して要求された風向及び風量に基づいて、各水平羽根７１ａ〜７１ｄの風向角度の制御ならびに風量制御を行う（Ｓ８）。
【００８５】
ステップＳ９〜Ｓ１０：ステップＳ１において指示された運転の内容が“冷房運転”である場合には（Ｓ９のＹｅｓ）、室内制御部６７は、空調室内が所望の設定に応じて冷房されるように、リモートコントローラ９９を介して要求された風向及び風量に基づいて、各水平羽根７１ａ〜７１ｄの風向角度の制御ならびに風量制御を行う（Ｓ１０）。
【００８６】
ステップＳ１１：リモートコントローラ９９を介して空気調和装置１の運転終了が指示されるまで（Ｓ１１のＮｏ）、ステップＳ８，１０の運転が継続して行われる。空気調和装置１の運転終了が指示されると（Ｓ１１のＹｅｓ）、室外ユニット２及び天井設置型室内ユニット４は、運転を終了する。
【００８７】
（２）暖房運転
以下では、空気調和装置１が上述した暖房運転（ステップＳ８）を行う場合の動作について説明する。
【００８８】
暖房運転は、室外熱交換器２３が冷媒の蒸発器として機能し、かつ、室内熱交換器４２が冷媒の放熱器として機能するように冷媒回路１０内の冷媒を循環させることによって、空調室内の空気を加熱して空調室内に空調空気として供給する運転である。
【００８９】
暖房運転においては、室外熱交換器２３が冷媒の蒸発器として機能し、かつ、室内熱交換器４２が冷媒の放熱器として機能する状態（すなわち、図１の四路切換弁２２の破線で示される状態）になるように、四路切換弁２２が切り換えられる。
【００９０】
このような状態の冷媒回路１０において、冷凍サイクルにおける低圧の冷媒は、圧縮機２１に吸入され、冷凍サイクルにおける高圧まで圧縮された後に吐出される。圧縮機２１から吐出された高圧の冷媒は、四路切換弁２２、ガス側閉鎖弁２６及びガス冷媒連絡管６を通じて、室内熱交換器４２に送られる。室内熱交換器４２に送られた高圧の冷媒は、室内熱交換器４２において、室内ファン４１によって供給される空調室内の空気と熱交換を行って放熱する。これにより、空調室内の空気は、加熱されて空調空気となり、吹き出し口５６（より具体的には、辺部吹出口５６ａ〜５６ｄ及び角部吹出口５６ｅ〜５６ｈ）から空調室内に吹き出される。室内熱交換器４２において放熱した高圧の冷媒は、液冷媒連絡管５及び液側閉鎖弁２５を通じて、膨張弁２４に送られて、冷凍サイクルにおける低圧まで減圧される。膨張弁２４において減圧された低圧の冷媒は、室外熱交換器２３に送られる。室外熱交換器２３に送られた低圧の冷媒は、室外熱交換器２３において、室外ファン２７によって供給される空調室内の空気と熱交換を行って蒸発する。室外熱交換器２３において蒸発した低圧の冷媒は、四路切換弁２２を通じて、再び、圧縮機２１に吸入される。
【００９１】
尚、このような暖房運転においては、吸込空気温度Ｔｒがリモートコントローラ９９等から要求された目標空気温度Ｔｒｓになるように制御される。すなわち、暖房運転において、吸込空気温度Ｔｒが目標空気温度Ｔｒｓよりも低い場合には、上記の運転制御（以下、この状態を暖房サーモオン状態とする）を行う。そして、吸込空気温度Ｔｒが目標空気温度Ｔｒｓに達した場合には、圧縮機２１を停止して冷媒回路１０内の冷媒の循環を行わないようにするとともに、室内ファン４１の風量を風量ＬＬに変更する制御（以下、この状態を暖房サーモオフ状態とする）を行う。
【００９２】
また、要求風向及び要求風量に基づく制御がなされる場合には、空調室内のユーザの快適性を高めることができるように、室内制御部６７は、各種センサ６１〜６３の検知結果に基づいて、各水平羽根７１ａ〜７１ｄの風向角度及び室内ファン４１の風量を種々の風向・風量に設定しつつ制御することができる。
【００９３】
例えば、人検知センサ６２が空調対象エリアＡ〜Ｄの人の存在を検知した場合、室内制御部６７は、その検出値に基づいて、人の存在が検知された空調対象エリアに対応する辺部吹出口の水平羽根の風向角度を風向Ｐ０に設定することができる。他方、空調対象エリアＡ〜Ｄのうち人の非存在が検知された空調対象エリアにおいては、室内制御部６７は、人の存在が検知される空調対象エリアに対応する辺部吹出口の水平羽根の風向角度を風向Ｐ０よりも下向きの風向Ｐ１〜Ｐ３等に設定することができる。これにより、空調対象エリアＡ〜Ｄに存在するユーザのドラフトによる不快感を抑えることができ、ユーザの快適性の向上を図ることができる。
【００９４】
また、床温度センサ６３が検知した空調室内の床面の温度Ｔｆが目標床面温度Ｔｆｓよりも低い場合には、室内制御部６７は、各水平羽根７１ａ〜７１ｄの風向角度を下向きの風向（例えば、風向Ｐ３、Ｐ４等）に設定することができる。他方、空調室内の床面の温度Ｔｆが目標床面温度Ｔｆｓに達している場合には、各水平羽根７１ａ〜７１ｄの風向角度を風向Ｐ３，Ｐ４等よりも上向きの風向（例えば、風向Ｐ０、Ｐ１等）に設定することができる。これにより、空調室内の床面付近が十分に暖まっていない場合に、暖気を床面まで到達させることができ、空調室内のユーザの快適性の向上を図ることができる。
【００９５】
その他、室内制御部６７は、吸込空気温度センサ６１が検知した吸込空気温度Ｔｒと空調室内の床面の温度Ｔｆとの平均温度や、該平均温度と人検知センサ６２の検出結果との組み合わせ等に基づき、各水平羽根７１ａ〜７１ｄの風向角度及び風流を変更してもよい。
【００９６】
（３）冷房運転
以下では、空気調和装置１が上述した冷房運転（ステップＳ１０）を行う場合の動作について説明する。
【００９７】
冷房運転は、室外熱交換器２３が冷媒の放熱器として機能し、かつ、室内熱交換器４２が冷媒の蒸発器として機能するように冷媒回路１０内の冷媒を循環させることによって、空調室内の空気を冷却して空調室内に空調空気として供給する運転である。
【００９８】
冷房運転においては、室外熱交換器２３が冷媒の放熱器として機能し、かつ、室内熱交換器４２が冷媒の蒸発器として機能する状態（すなわち、図１の四路切換弁２２の実線で示される状態）になるように、四路切換弁２２が切り換えられる。
【００９９】
このような状態の冷媒回路１０において、冷凍サイクルにおける低圧の冷媒は、圧縮機２１に吸入され、冷凍サイクルにおける高圧まで圧縮された後に吐出される。圧縮機２１から吐出された高圧の冷媒は、四路切換弁２２を通じて、室外熱交換器２３に送られる。室外熱交換器２３に送られた高圧の冷媒は、室外熱交換器２３において、室外ファン２７によって供給される室外空気と熱交換を行って放熱する。室外熱交換器２３において放熱した高圧の冷媒は、膨張弁２４に送られて、冷凍サイクルにおける低圧まで減圧される。膨張弁２４において減圧された低圧の冷媒は、液側閉鎖弁２５及び液冷媒連絡管５を通じて、室内熱交換器４２に送られる。室内熱交換器４２に送られた低圧の冷媒は、室内熱交換器４２において、室内ファン４１によって供給される空調室内の空気と熱交換を行って蒸発する。これにより、空調室内の空気は、冷却されて空調空気となり、吹き出し口５６（より具体的には、辺部吹出口５６ａ〜５６ｄ及び角部吹出口５６ｅ〜５６ｈ）から空調室内に吹き出される。室内熱交換器４２において蒸発した低圧の冷媒は、ガス冷媒連絡管６、ガス側閉鎖弁２６及び四路切換弁２２を通じて、再び、圧縮機２１に吸入される。
【０１００】
尚、このような冷房運転においては、吸込空気温度Ｔｒがリモートコントローラ９９等から要求された目標空気温度Ｔｒｓになるように制御される。すなわち、冷房運転において、吸込空気温度Ｔｒが目標空気温度Ｔｒｓよりも高い場合には、上記の運転制御（以下、この状態を冷房サーモオン状態とする）を行う。そして、吸込空気温度Ｔｒが目標空気温度Ｔｒｓに達した場合には、圧縮機２１を停止して冷媒回路１０内の冷媒の循環を行わないようにするとともに、室内ファン４１の風量を風量ＬＬに変更する制御（以下、この状態を冷房サーモオフ状態とする）を行う。
【０１０１】
また、要求風向及び要求風量に基づく制御がなされる場合には、空調室内のユーザの快適性を高めることができるように、室内制御部６７は、各種センサ６１〜６３の検知結果に基づいて、各水平羽根７１ａ〜７１ｄの風向角度及び室内ファン４１の風量を種々の風向・風量に設定しつつ制御することができる。
【０１０２】
例えば、人検知センサ６２が空調対象エリアＡ〜Ｄの人の存在を検知した場合、室内制御部６７は、その検出値に基づいて、人の存在が検知された空調対象エリアに対応する辺部吹出口の水平羽根の風向角度を風向Ｐ０に設定することができる。他方、空調対象エリアＡ〜Ｄのうち人の非存在が検知された空調対象エリアにおいては、人の存在が検知される空調対象エリアに対応する辺部吹出口の水平羽根の風向角度を風向Ｐ０よりも下向きの風向Ｐ１〜Ｐ３等に設定することができる。これにより、空調対象エリアＡ〜Ｄに存在するユーザのドラフトによる不快感を抑えることができ、ユーザの快適性の向上を図ることができる。
【０１０３】
＜特徴＞
本実施形態に係る天井設置型室内ユニット４には、以下のような特徴がある。
【０１０４】
（１）
従来の室内機では、隣接する水平羽根を互いに逆にスイングさせることで、空調室内の空気を攪拌させている。しかし、この室内機では、隣接する水平羽根それぞれから空調室内へと送られる空気は、互いに弱めあってしまい、風力が低下してしまう。従って、空調室内の空気の攪拌力が弱くなってしまう他、吹き出し口から吹き出される空気を室内機から離れた場所へと送ることが困難となってしまう。また、仮に１つの水平羽根のみをスイングさせつつ、スイングする水平羽根を順にシフトしていくとしても、１つの水平羽根から空調室内へと案内される空気量は少なく、室内の空気は十分には攪拌され得ない。
【０１０５】
これに対し、本実施形態に係る天井設置型室内ユニット４では、互いに隣接する２つの水平羽根７１ａ〜７１ｄである第１水平羽根は、同期して同じ姿勢を採りつつスイングする。これにより、吹き出し口５６から吹き出される空気は、第１水平羽根によって取り囲まれるようにして空調室内へと送られ、且つ空調室内の空気は攪拌されることとなる。従って、本実施形態に係る天井設置型室内ユニット４では、隣接する水平羽根が個々に異なるスイングを行う場合に比して高い攪拌効果を得ることができると共に、天井設置型室内ユニット４の吹き出し口５６から空調室に吹き出される空気をより遠くへ送ることができる。
【０１０６】
特に、本実施形態においては、第１水平羽根の組み合わせが、化粧パネル５２の周縁部に沿って順にシフトされる。そのため、同期してスイングする第１水平羽根の組み合わせが固定されている場合に比して、より高い攪拌効果を得ることができる。
【０１０７】
（２）
また、本実施形態に係る天井設置型室内ユニット４では、第１水平羽根の組み合わせは、順々に１つずつずれていく。そのため、空調室内の空気はより攪拌され易くなる。
【０１０８】
（３）
また、本実施形態に係る天井設置型室内ユニット４では、第１水平羽根が吹き出し口５６に対し上下方向に所定回数往復回動する毎に、第１水平羽根の組み合わせがシフトされる。つまり、第１水平羽根の組み合わせがシフトするタイミングは、第１水平羽根の往復回動の動作にあわせられることとなる。そのため、往復回動する回数を設定することで、遠方への送風到達性を優先させたり、空調室内の空気の攪拌性を優先させたりすることができる。
【０１０９】
（４）
また、本実施形態に係る天井設置型室内ユニット４では、第１水平羽根が同期して同じ姿勢を採りつつスイングする間、第１水平羽根を除く残りの羽根である第２水平羽根は、所定の角度で固定される。そのため、スイングしている第１水平羽根によって、空調室内の空気は攪拌され、第２水平羽根によって、空調室内の空気は、例えば遠方に送られることとなる。
【０１１０】
（５）
更に、本実施形態に係る天井設置型室内ユニット４では、図１１に示すように、第１水平羽根の回動方向の変化時に、第１水平羽根の動作が一時的に停止する、いわゆる休止期間ＴＡが設けられている。これは、例えば暖房運転時において、下方向から上方向へと回動方向が直ちに変化してしまうと、空調室内の床付近が暖まりにくくなるからである。これにより、空調室内の空気を攪拌している途中において、吹き出し口５６から吹き出される空気は、例えば水平方向や垂直方向へと確実に吹き出されるようになる。従って、例えば暖房運転時、下方向から上方向へと回動方向が変化する際には、吹き出し口５６からの暖かい空気が下方向へと吹き出されることとなるため、空調室内の温度の偏りを改善しつつ、床付近を温めることができる。
【０１１１】
また、例えば冷房運転時、上方向から下方向へと回動方向が変化する際には、吹き出し口５６からの冷たい空気が上方向へと吹き出されることとなるため、いわゆるコールドドラフトによってユーザが感じる不快感を抑えることができる。
【０１１２】
（６）
また、本実施形態に係る天井設置型室内ユニット４では、運転開始から所定時間が経過までは、第１水平羽根が同期して同じ姿勢を採りつつスイングする動作、及び且つ第１水平羽根の組み合わせが下面の周縁部に沿って順にシフトする動作が行われる。しかし、所定時間経過後は、これらの動作は終了し、各水平羽根７１ａ〜７１ｄは所定角度傾斜する。これにより、空気の攪拌が十分になされた空調室内に所望の温度の空気を供給することができるため、ドラフトによってユーザが感じる不快感を抑えることができ、空調室内を快適にすることができる。
【０１１３】
（７）
また、本実施形態に係る天井設置型室内ユニット４では、任意の角部吹出口５６ｅ〜５６ｈを挟んで隣接する第１水平羽根が同期して同じ姿勢を採りつつスイングする。更に、この第１水平羽根の組み合わせは、順次シフトしていく。そのため、角部吹出口５６ｅ〜５６ｈから吹き出される空気は、第１水平羽根によって開閉される辺部吹出口５６ａ〜５６ｄから吹き出される空気と共に、空調室内の空気の一部を取り込みながら第１水平羽根によって確実に遠方まで送られる。従って、個々の水平羽根を同期させることなく個別にスイングさせる場合に比して、より多くの吹き出される空気によって空調室内の空気を攪拌できると共に、より多くの空調空気を遠方まで送ることができる。
【０１１４】
（８）
特に、本実施形態においては、第１水平羽根が、互いに隣り合う２つの水平羽根７１ａ〜７１ｄで構成されている、これにより、空調室内の空気を効果的に攪拌できると共に、より多くの空調空気を遠方まで送ることができる。
【０１１５】
＜他の実施形態＞
以上、本発明の実施形態について図面に基づいて説明したが、具体的な構成は、これらの実施形態に限られるものではなく、発明の要旨を逸脱しない範囲で変更可能である。
【０１１６】
（Ａ）
上記実施形態では、第１水平羽根が１回スイングする毎に、第１水平羽根の組み合わせがシフトする場合について説明した。しかし、室内制御部６７は、第１水平羽根が、１回ではなく２回スイング以上した後に、第１水平羽根の組み合わせをシフトしてもよい。
【０１１７】
また、室内制御部６７は、図１６に示すように、第１水平羽根が所定時間（第１所定時間に相当）スイングする毎に、第１水平羽根の組み合わせがシフトしてもよい。ここで、図１６では、一例として、１分毎に、第１水平羽根の組み合わせが変化する場合を示している。図１６では、図１２と同様、塗り潰されている水平羽根は、第１水平羽根を表し、塗り潰されていない水平羽根は、第２水平羽根を表している。
【０１１８】
尚、第１水平羽根の組み合わせがシフトするタイミングとなる、第１水平羽根のスイング回数やスイングする時間は、机上計算やシミュレーション、実験等によって予め決定されていてもよいし、その時々の空調室内の状態（具体的には、床の温度Ｔｆや、空調室内の人の有無、吸込空気温度Ｔｒ等）に応じて、室内制御部６７によって適宜決定されてもよい。スイングする時間が適宜設定されることで、遠方への送風到達性を優先させたり、空調室内の空気の攪拌性を優先させたりすることができる。
【０１１９】
（Ｂ）
上記実施形態では、第１水平羽根の組み合わせが、化粧パネル５２の下面視において時計回りに順次シフトする場合について説明した。しかし、第１水平羽根の組み合わせは、化粧パネル５２の下面視において反時計回りに順次シフトしてもよい。時計回り、及び反時計回りのどちらにシフトするかは、机上計算やシミュレーション、実験等によって予め決定されていてもよいし、その時々の空調室内の状態（具体的には、床の温度Ｔｆや、空調室内の人の有無、吸込空気温度Ｔｒ等）に応じて、室内制御部６７によって適宜決定されてもよい。
【０１２０】
（Ｃ）
上記実施形態では、図１１に示すように、第２水平羽根が風向“Ｐ０”で固定される場合について説明した。しかし、第２水平羽根の固定される角度は、風向“Ｐ０”に限定されず、どのような角度であってもよい。例えば、第２水平羽根は、暖房運転の場合には下向きの風向“P４”に相当する角度に固定され、冷房運転の場合には上向きの風向“Ｐ１”に相当する角度に固定されてもよい。
【０１２１】
また、第２水平羽根は、第１水平羽根が風向Ｐ０と風向Ｐ４との間をスイングする間、所定の角度に固定されるのではなく、例えば風向Ｐ０及び風向Ｐ１との間で小さくスイングしていてもよい。この場合、第２水平羽根のスイングは、第１水平羽根のスイングに比べて十分小さい。
【０１２２】
（Ｄ）
上記実施形態では、第１水平羽根が２つで構成される場合について説明した。しかし、第１水平羽根を構成する羽根の数は２以上であればよく、例えば３つであってもよい。但し、第１水平羽根を構成する羽根の数の上限は、天井設置型室内ユニットに設けられている水平羽根の数をＮとした場合、Ｎ−１以下であることを要する。つまり、第１水平羽根を構成する羽根の数Ｍは、“２≦Ｍ≦Ｎ−１”の条件を満たす必要がある。
【０１２３】
図１７，１８では、第１水平羽根が、互いに隣り合う３つの水平羽根で構成されている場合を示している。具体的に、第１水平羽根としての組み合わせは、図１７，１８に示すように、水平羽根７１ａ，７１ｂ，７１ｃの組み合わせ、水平羽根７１ｂ，７１ｃ，７１ｄの組み合わせ、水平羽根７１ｃ，７１ｄ，７１ａの組み合わせ、水平羽根７１ｄ，７１ａ，７１ｂの組み合わせが挙げられる。そして、例えば第１水平羽根の組み合わせが水平羽根７１ａ〜７１ｃである場合、該羽根７１ａ〜７１ｃ以外の水平羽根７１ｄは、第２水平羽根となる。この場合、第１水平羽根である水平羽根７１ａ〜７１ｃは、同期して同じ姿勢を採りつつスイングし、第２水平羽根である水平羽根７１ｄは、所定の角度（例えば、風向Ｐ０）に固定される。そして、第１水平羽根が１回スイングした後、第１水平羽根の組み合わせは、化粧パネル５２の周縁部に沿って順にシフトされる。具体的に、図１７，１８では、第１水平羽根の組み合わせは、化粧パネル５２の下面視において、時計回りに１つずつずれていく。即ち、個々の水平羽根７１ａ〜７１ｄに着目すると、各水平羽根７１ａ〜７１ｄは、自身が連続して３回スイングした後、他の羽根のスイング１回分だけ所定の角度に固定された姿勢を採っている。各水平羽根７１ａ〜７１ｄが固定された姿勢から再度スイングをし出すタイミングは、水平羽根７１ａ〜７１ｄ同士で重畳しておらず、水平羽根７１ａ〜７１ｂ毎に異なっている。これにより、空調室内の空気を効果的に攪拌できると共に、より多くの空調空気を遠方まで送ることができる。
【０１２４】
また、図１７，１８では、水平羽根７１ａ，７１ｂ，７１ｃの組み合わせから水平羽根７１ｂ，７１ｃ，７１ｄの組み合わせへのシフトにおいて示されているように、第１水平羽根の組み合わせが１つずつシフトしていく場合について説明した。しかし、第１水平羽根が３つの水平羽根で構成される場合は、その組み合わせが１つずつシフトする場合に限らず、２つずつシフトしてもよい。２つずつシフトする場合としては、例えば水平羽根７１ａ，７１ｂ，７１ｃの組み合わせから、水平羽根７１ｃ、７１ｄ、７１ａの組み合わせへのシフトが挙げられる。
【０１２５】
（Ｅ）
上記実施形態では、図１１に示すように、運転開始からサイクルスイングモードが行われて所定時間が経過した後、全ての水平羽根７１ａ〜７１ｄが所定角度傾斜する場合について説明した。しかし、所定時間経過後に所定角度傾斜する動作に移行するのは、所定時間経過直前に第１水平羽根であった水平羽根のみであってもよい。例えば、所定時間経過直前に第２水平羽根であった水平羽根は、スイングせずに固定して採っていた姿勢を、所定時間経過後も継続して採っていても良い。
【０１２６】
（Ｆ）
上記実施形態では、水平羽根が４つの場合、即ち、空調空気が４方向に吹き出される場合について説明した。しかし、水平羽根の枚数はこれに限定されず、４つ以上であってもよい。つまり、本発明に係る天井設置型室内ユニット４は、空調空気を４方向以上の方向に吹き出す場合においても、適用することができる。
【０１２７】
（Ｇ）
上記実施形態では、ケーシング５１の下面に相当する化粧パネル５２に、吹き出し口５６及び４つの水平羽根７１ａ〜７１ｄが設けられているタイプの天井設置型室内ユニット４について説明した。しかし、本発明に係る天井設置型室内ユニットは、吹き出し口がケーシングの各側面に設けられているタイプの室内ユニットにも採用することができる。
【０１２８】
（Ｈ）
上記実施形態では、休止期間ＴＡが、予め所定の値に決定されている場合について説明した。しかし、休止期間ＴＡは、その時々の各種センサ６１〜６３の検知結果に応じて、適宜変更されてもよい。
【０１２９】
例えば、暖房運転時において、人検知センサ６２によって空調対象エリアＡ〜Ｄ内の人が検知されなかったとする。この場合において、床面の温度Ｔｆが低く、吸込空気温度センサ６１により検知された吸込空気温度Ｔｒと床温度センサ６３により検知された床面の温度Ｔｆとの温度差が第１温度差以上と大きい場合には、室内制御部６７は、休止期間ＴＡを長め（例えば５秒）に設定する。逆に床面の温度Ｔｆが高く、当該温度差が第１温度差よりも低い第２温度差以下である場合には、室内制御部６７は、休止期間ＴＡを短め（例えば１秒）に設定してもよい。
【０１３０】
また、休止期間の長さは、開始が指示された運転の内容が暖房か冷房かで異なっていても良いし、更に吹き出し口５６から吹き出される空気の風向に応じて異なっていても良い。例えば、暖房運転の際、休止期間は、水平羽根７１ａ〜７１ｄの風向角度が風向Ｐ０の場合は短く設定され、水平羽根７１ａ〜７１ｄの風向角度が風向Ｐ４の場合は、長く設定されていてもよい。これにより、回動方向の変化時には、熱交換により温められた空気は、約水平方向にはあまり吹き出されないが、約垂直方向には比較的長い時間吹き出されることとなる。従って、空調室内の空気を攪拌しつつ、床面の温度Ｔｒを上昇させることができる。また、冷房運転の際、休止期間は、水平羽根７１ａ〜７１ｄの風向角度が風向Ｐ０の場合は長く設定され、水平羽根７１ａ〜７１ｄの風向角度が風向Ｐ４の場合は短く設定されていてもよい。これにより、空調室内の空気が攪拌されている間においても、回動方向の変化時には、熱交換により冷やされた空気は、約垂直方向にはあまり吹き出されないが、約水平方向には比較的長い時間吹き出されることとなる。従って、コールドドラフトによってユーザが感じる不快感を抑えることができる。
【０１３１】
（Ｉ）
上記実施形態では、第１水平羽根が同期して同じ姿勢を採りつつスイングすると共に、第１水平羽根の組み合わせが順次シフトする動作は、運転開始から所定時間が経過するまでの間行われると説明した。しかし、これらの動作は、運転開始から所定時間の間（つまりは、空気調和装置の起動直後）に限定されず、暖房及び冷房によって室内をユーザが要求した温度に調節する通常運転の間に行われても良い。
【産業上の利用可能性】
【０１３２】
本発明は、それぞれ独立して上下方向の風向角度を変更することが可能な複数の水平羽根が吹出口に設けられた空気調和装置の天井設置型室内ユニットに広く適用可能である。
【符号の説明】
【０１３３】
１  空気調和装置
４  天井設置型室内ユニット
３９  室外制御部
４１  室内ファン
５１  ケーシング
５６  吹出口
５６ａ，５６ｂ，５６ｃ，５６ｄ  辺部吹出口
５６ｅ，５６ｆ，５６ｇ，５６ｈ  角部吹出口
６１  吸込空気温度センサ
６２  人検知センサ
６３  床温度センサ
７１ａ，７１ｂ，７１ｃ，７１ｄ  水平羽根
６７  室内制御部
６９  リモコン用受信部
９９  リモートコンローラ
９９ａ  表示部
Ｄ１，Ｄ２，Ｄ３，Ｄ４  リモートコンローラの表示部に表示される画面
【先行技術文献】
【特許文献】
【０１３４】
【特許文献１】特開２００９−１０３４１７号公報
【図１】
0005500181.tif 000002
【図２】
0005500181.tif 000003
【図３】
0005500181.tif 000004
【図４】
0005500181.tif 000005
【図５】
0005500181.tif 000006
【図６】
0005500181.tif 000007
【図７】
0005500181.tif 000008
【図８】
0005500181.tif 000009
【図９】
0005500181.tif 000010
【図１０】
0005500181.tif 000011
【図１１】
0005500181.tif 000012
【図１２】
0005500181.tif 000013
【図１３】
0005500181.tif 000014
【図１４】
0005500181.tif 000015
【図１５】
0005500181.tif 000016
【図１６】
0005500181.tif 000017
【図１７】
0005500181.tif 000018
【図１８】
0005500181.tif 000019